(57)【要約】  【課題】  従来の伊達襟や重ね襟等には全く採用されたことがない新たな装飾性を具備するものとし、伝統的な衣裳に現代感覚を兼ね備えた個性的な装いを可能とし、従前からの和服のイメージをさらに高め、若者をはじめとする多くの人々が和服の着用をし易くなるようにする新たな和服用装飾具を提供する。  【解決手段】  衿幅の約１／２以下に収まる幅寸法で、着付けたときに共衿から左右の衿に添って少なくとも衿合わせ辺りに至る程度の長さ寸法を有し、装着して違和感を生じさせない程度の厚み寸法とした衿用装着体２に対し、該衿用装着体２の一方の端縁略全長に粒状装飾体３，３，……を添設してなる和服用装飾具１である。【選択図】    図１
2006132061.tif 000002
【特許請求の範囲】
【請求項１】
衿幅の約１／２以下に収まる幅寸法であって、着付けたときに共衿から左右の衿に添って少なくとも衿合わせ辺りに至る程度の長さ寸法を有すると共に、和服衿の内側に挟み込み、装着して違和感を生じさせない程度の厚み寸法とした衿用装着体に対し、該衿用装着体の少なくとも一方の端縁またはその近傍略全長に添わせて装飾体か、または装飾模様と装飾体とを組み合せて立体模様に形成してなるものとしたことを特徴とする和服用装飾具。
【請求項２】
衿幅の約１／２以下に収まる幅寸法であって、着付けたときに共衿から左右の衿に添って少なくとも衿合わせ辺りに至る程度の長さ寸法を有すると共に、和服衿や帯の内側に挟み込み、装着して違和感を生じさせない程度の厚み寸法とした衿等用装着体に対し、その全周に渡る端縁またはそれを含む全面に装飾体を添設するか、または装飾模様と添設装飾体とを組み合せて立体的装飾に形成してなるものとしたことを特徴とする和服用装飾具。
【請求項３】
衿幅の約１／２以下に収まる幅寸法であって、着付けたときに共衿から左右の衿に添って少なくとも衿合わせ辺りに至る程度の長さ寸法とするか、あるいは、少なくとも下前衿の衿合わせと、上前衿の帯影になる衿先側適所とに至る程度の長さ寸法とするかの何れかの長さ寸法を有すると共に、和服衿の内側に挟み込み、装着して違和感を生じさせない程度の厚み寸法とした衿用装着体に対し、着用の際に共衿から左右の衿に添って和服衿元に立体的装飾となる端縁の略全長に渡り、粒状装飾体を衿用装着体の幅寸法方向か、あるいは長手寸法方向に対し所定角度で傾斜する方向かの何れかに縫い付けた縫合糸によって複数個ずつまとめて縫着してなるものとしたことを特徴とする和服用装飾具。
【請求項４】
衿幅の約１／２以下に収まる幅寸法であって、着付けたときに共衿から左右の衿に添って少なくとも衿合わせ辺りに至る程度の長さ寸法とするか、あるいは、少なくとも下前衿の衿合わせと、上前衿の帯影となる衿先側適所とに至る程度の長さ寸法とするかの何れかの長さ寸法を有すると共に、和服衿の内側に挟み込み、装着して違和感を生じさせない程度の厚み寸法とした衿用装着体に対し、着用の際に共衿から左右の衿に添って和服衿元に立体的装飾となる端縁の略全長に渡り、粒状装飾体を衿用装着体の幅寸法方向か、あるいは長手寸法方向に対し所定角度で傾斜する方向かの何れかに縫い付けた縫合糸によって複数個ずつまとめて、また一部は一個ずつ適宜、衿用装着体の長手方向に一定の規則性と連続性とを有する色彩、形状、配置パターンとするよう縫着してなるものとしたことを特徴とする和服用装飾具。
【請求項５】
衿幅の約１／２以下に収まる幅寸法であって、着付けたときに共衿から左右の衿に添って少なくとも衿合わせ辺りに至る程度の長さ寸法とするか、あるいは、少なくとも下前衿の衿合わせと、上前衿の帯影となる衿先側適所とに至る程度の長さ寸法とするかの何れかの長さ寸法を有すると共に、和服衿の内側に挟み込み、装着して違和感を生じさせない程度の厚み寸法とした衿用装着体に対し、着用の際に共衿から左右の衿に添って和服衿元に立体的装飾となる端縁の略全長に渡り、粒状装飾体を衿用装着体の長手方向に縫い付ける縫合糸によって一個ずつ個別に縫着して数珠繋ぎ状の配置にしてなるものとしたことを特徴とする和服用装飾具。
【請求項６】
衿用装着体が、合成樹脂製のメッシュ状衿芯を有し、その全体を和服用の裏地素材か、またはそれに近い比較的薄い生地かの何れかで被覆、外装としてなるものとした、請求項１ないし５何れか一項記載の和服用装飾具。
【発明の詳細な説明】
【技術分野】
【０００１】
この発明は、和服の装飾に関連するあらゆる分野をその技術分野とするものであって、所謂伊達襟や半襟等の装飾具を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                            
【背景技術】
【０００２】
（着目点）
和服は、日常着でもあった古の長い時代から、西洋文化が入り込んで洋風化が進み、洋服を着用するように時代が移り変わるとともに、冠婚葬祭や成人式、卒業式、会食やパーティー、お茶会等、特別な日の装いとして着用するか、あるいは美しく優雅な雰囲気を装おう伝統的な衣装として着用されるものへと変遷して来たが、ここにきて若い世代の人達から新鮮で斬新な個性ある衣装として再認識されるようになり、既成概念に捕らわれない自由な着こなしを楽しむ人々も増加してきており、染めや織り柄に留まらず、着付けや着こなしに関連する仕立てや小物類等に関連する様々な市場ニーズが新たに生じ始めてきている。
【０００３】
（従来の技術）
こうしたニーズに応えようとして、例えば登録実用新案第３０７７９９３号公報に開示されている「簡易式着物」考案のように、一対のおくみ部を有し、着丈が略人の肩から腰までの長さである身ごろ部と、身ごろ部に縫い付けられた一対の袖部と、身ごろ部に対し着脱自在のおはしょり部とを有するものとして洋服感覚で着ることができるものとした上、襟部に伊達襟、袖口に伊達袖を夫々縫い付ける等の意匠性を高める手段を設けるようにしたものや、登録実用新案第３０２５３６７号公報に掲載された「バイヤス仕立ての伊達襟または重ね襟」考案の、表地の裏側に合成樹脂繊維よりなる裏当布を接着、一体化し、これをバイヤス方向に沿って裁断した表地本体の裏面に、伸縮性の芯地を介して伊達襟を得るようにし、また当該表地本体を伸縮性の芯地を介して長手方向に折半し、縫製することにより、装着時の湾曲に起因する弛みや皺を防止し、すっきりとした衿元を表現できる重ね襟を得るようにしたものなど、様々な提案が相次いでなされてきている。
【０００４】
しかしながら、既に開発されているこれら既存の伊達襟や重ね襟等は、それら外装生地の外観が、伝統的な染めや織りおよび刺繍等の図案や色彩、質感といった比較的平面的なデザイン性に頼るものであって、基本的な装飾性という面から観ると何等従来品と変わらないもので若者ニーズに必ずしも応えきれているものとは言い難く、折角復活し始めてきている和服を生活の中に取り入れて新たな着こなしを楽しもうとする人々の要求を満たすには程遠く、現代感覚に富み、ＴＰＯに応じて個性豊かに装うおうことのできるようにした魅力のある商品は、未だ市場に出回ってきていないというのが実情である。                                                                                      
【特許文献１】（１）登録実用新案第３０７７９９３号公報    （２）登録実用新案第３０２５３６７号公報
【発明の開示】
【発明が解決しようとする課題】
【０００５】
（問題意識）
この発明は、上述してきたように、從前からの伊達襟や重ね襟等では、生地の組合せや着物への取付手段等だけに注目した開発を中心にしてなされてきていて、外観のデザイン的要素に関する部分においては、生地の質感や染め、織り、刺繍柄およびその色彩等、伝統的な手法に頼るものに留まっており、斬新な外観を醸し出すような新たな発想に基づく製品の開発は身られず、したがって、伝統にこだわらない多彩な表現を装うことを可能とする現代風な商品が未だ提供されないままに推移していると言わざるを得ないというのが実情であり、こうした状況を打開して現代風にアレンジして個性的な装いができ、しかも洋服にはない品位や華やかさという伝統的な雰囲気を兼ね備え、和服の新たな価値を高めることができるようにする新たな和装用装飾具が強く求められている。
【０００６】
（発明の目的）
そこで、この発明は、従来の伊達襟や重ね襟等には全く見られない新たな装飾性を獲得し、和服の現代的なイメージを創出し、高めることができる新たな装飾具を提供することはできないものかとの判断から、逸速くその開発、研究に着手し、長期に渡る試行錯誤と幾多の試作、実験とを繰り返してきた結果、今回、遂に新規な構造の和服用装飾具を実現化することに成功したものであり、以下では、図面に示すこの発明を代表する実施例と共に、その構成を詳述することとする。                                                          
【課題を解決するための手段】
【０００７】
（発明の構成）
図面に示すこの発明を代表する実施例からも明確に理解されるように、この発明に包含される和服用装飾具は、基本的に次のような構成から成り立っている。
即ち、衿幅の約１／２以下に収まる幅寸法であって、着付けたときに共衿から左右の衿に添って少なくとも衿合わせ辺りに至る程度の長さ寸法を有すると共に、和服衿の内側に挟み込み、装着して違和感を生じさせない程度の厚み寸法とした衿用装着体に対し、該衿用装着体の少なくとも一方の端縁またはその近傍略全長に添わせて装飾体か、または装飾模様と装飾体とを組み合せて立体的装飾に形成してなるものとした構成を要旨とする和服用装飾具である。
【０００８】
これを表現を変えて示すと、衿幅の約１／２以下に収まる幅寸法であって、着付けたときに共衿から左右の衿に添って少なくとも衿合わせ辺りに至る程度の長さ寸法を有すると共に、和服衿や帯の内側に挟み込み、装着して違和感を生じさせない程度の厚み寸法とした衿等用装着体に対し、その全周に渡る端縁またはそれを含む全面に装飾体を添設するか、または装飾模様と添設装飾体とを組み合せて立体的装飾に形成してなるものとした構成を要旨とする和服用装飾具であるといえる。
【０００９】
上記した基本的な構成からなるこの発明の和服用装飾具を、より具体的なものとして示すと、衿幅の約１／２以下に収まる幅寸法であって、着付けたときに共衿から左右の衿に添って少なくとも衿合わせ辺りに至る程度の長さ寸法とするか、あるいは、少なくとも下前衿の衿合わせと、上前衿の帯影になる衿先側適所とに至る程度の長さ寸法とするかの何れかの長さ寸法を有すると共に、和服衿の内側に挟み込み、装着して違和感を生じさせない程度の厚み寸法とした衿用装着体に対し、着用の際に共衿から左右の衿に添って和服衿元に立体的装飾となる端縁の略全長に渡り、粒状装飾体を衿用装着体の幅寸法方向か、あるいは長手寸法方向に対し所定角度で傾斜する方向かの何れかに縫い付けた縫合糸によって複数個ずつまとめて縫着してなるものとした和服用装飾具であるということができる。
【００１０】
同様に、衿幅の約１／２以下に収まる幅寸法であって、着付けたときに共衿から左右の衿に添って少なくとも衿合わせ辺りに至る程度の長さ寸法とするか、あるいは、少なくとも下前衿の衿合わせと、上前衿の帯影となる衿先側適所とに至る程度の長さ寸法とするかの何れかの長さ寸法を有すると共に、和服衿の内側に挟み込み、装着して違和感を生じさせない程度の厚み寸法とした衿用装着体に対し、着用の際に共衿から左右の衿に添って和服衿元に立体的装飾となる端縁の略全長に渡り、粒状装飾体を衿用装着体の幅寸法方向か、あるいは長手寸法方向に対し所定角度で傾斜する方向かの何れかに縫い付けた縫合糸によって複数個ずつまとめて、また一部は一個ずつ適宜、衿用装着体の長手方向に一定の規則性と連続性とを有する色彩、形状、配置パターンとするよう縫着した構成の和服用装飾具を含んでいる。
【００１１】
また、衿幅の約１／２以下に収まる幅寸法であって、着付けたときに共衿から左右の衿に添って少なくとも衿合わせ辺りに至る程度の長さ寸法とするか、あるいは、少なくとも下前衿の衿合わせと、上前衿の帯影となる衿先側適所とに至る程度の長さ寸法とするかの何れかの長さ寸法を有すると共に、和服衿の内側に挟み込み、装着して違和感を生じさせない程度の厚み寸法とした衿用装着体に対し、着用の際に共衿から左右の衿に添って和服衿元に立体的装飾となる端縁の略全長に渡り、粒状装飾体を衿用装着体の長手方向に縫い付ける縫合糸によって一個ずつ個別に縫着して数珠繋ぎ状の配置にしてなるものとした和服用装飾具も包含する。                                                                            
【発明の効果】
【００１２】
以上のとおり、この発明の和服用装飾具によれば、着付けたときに共衿から左右の衿に沿って少なくとも衿合わせ辺りに至る長さを有するものとし、和服衿の内側に挟み込み、装着して違和感を生じさせない寸法、形状とした衿用装着体の少なくとも幅方向の一方端縁付近に装飾体または、装飾模様と装飾体とを組み合せて立体的装飾に形成していることから、和服衿元の新たなデザイン性の開拓、追求を実現可能とするものとなって、伝統的な着物に現代風の新鮮なファッション性を求める人々に、従来の伊達襟や重ね襟等では実現し得なかったような新たな装飾性を付加すると共に、使い方を問わない現代風の装着が可能であり、予め幾つかのデザインの異なるものを携行しておけば、人目に付かないところで手早く付け替えることも簡単にできてＴＰＯに応じた最適且つ個性的な装いを可能ならしめ、従前のものにはない和装イメージや和服そのものの付加価値を一層高めることを可能にする新たな和服用装飾具を提供することができるという非常に秀れた特徴が得られることになる。
【００１３】
また、衿用装着体の全周縁あるいは全面、もしくは全周縁および全面の適所等に装飾体、または装飾模様と装飾体とを組み合わせて立体的装飾を形成するようにしたことから、その使用箇所に限定を受けることないものとすることができ、衿元の装飾に留まらないで胴帯や帯結びの周辺等、アイディア次第で着物の所望する箇所を個々人の個性的な発想に基づく多彩な自由度を以って装飾できるようにする和服用装飾具になるという大きな効果も奏する。                                                        
【発明を実施するための最良の形態】
【００１４】
上記したとおりの構成からなるこの発明の実施に際し、その最良もしくは望ましい形態について説明を加えることにする。
衿用装着体または衿等用装着体は、和服の共衿から左右の衿の内側に挟み込まれ、衿の周縁付近に添って装飾体、または装飾模様と装飾体とを組み合わせたものを立体的装飾とするための基材として機能するものであり、装飾体を取り付けるベースとなり、しかも和服衿元への装着状態を十分に確保できる形状、寸法に設定されたものとしなければならず、装着によって和服の衿元に磨耗や損傷を与えたり、汚してしまわないよう配慮した素材からなるものとすべきであって、装着者の首回りに違和感を生じない程度に比較的柔軟で適度の伸縮性を備えた素材、例えば着物用あるいは衣類用等の生地を帯状に縫製したものから、皮革製または柔軟な合成樹脂成型品、あるいは合成樹脂製のメッシュ状衿芯の全体を和服用の裏地素材か、またはそれに近い比較的薄い生地かの何れかで被覆してなるものまでといった具合に様々に工夫したものまでを、後述する装飾体との兼ね合いによって採用することができる。
【００１５】
そして、その長さは、少なくとも共衿から左右の衿に添い、衿合わせ辺りに至る程度か、あるいはそれ以上の長さとすることができ、例えば、共衿から下前衿の衿合わせと、上前衿の帯影となる衿先側適所とに至る程度の長さが含まれるものであって、用途に応じて最適な長さを適宜選択して製造することが可能であり、幅寸法に関しては装着する和服の衿幅の１／２以下に収まるものとし、厚みに関しては、従来型の伊達襟や重ね襟と略同等であって装着に際して違和感を生じさせないものとすべきである。
【００１６】
装飾体は、衿縁に添って着用者の首回りに立体的装飾となり、染色や織り、刺繍等によって得られるものとは異なる範疇の立体的な外的美観を与え、和服の衿元を恰もロングネックレスで飾ったような華麗に装飾する機能を果たすものであり、宝石、真珠、貴金属片等そのものか、あるいはそれらを組み合わせた宝飾品等、ガラスや合成樹脂製のビーズ類、七宝焼きやガラス小片板等をステンドグラス状に組み合わせ、配置させたもの、単色または複数色の糸や細紐等を寄り合わせた飾り紐や、チェーン、チューブ、粒状物等、装飾用の様々な物品、またそれらを適宜組み合わせたもの、換言すれば粒状、小石状、砂状、小片状、小箱状、球形、パイプ形、錐形、紐状、ワイヤー状、鎖状あるいは多面体状等といった各種立体物で装飾性を有するものであればあらゆるものを対象とする。
【００１７】
そして、上記衿用装着体または衿等用装着体における幅方向の一方端縁に対し、長手方向に添って添設したものとすることができる外、幅方向の両端縁に対して長手方向に添い添設したものや、表面の幅方向一方端縁と、背面の幅方向他方端縁との夫々に添って添設したものとすることができ、また、衿用装着体の表裏面の何れか一方か、双方かの何れか一方の全面に添設したものとしてリバーシブルとなるようにしたり、装着したときに装飾体凹凸が表面に出難くくしたもの（即ち、立体感を有するものの全体として表面の出入りがないか少ないもの）とすることが可能であり、さらにまた、衿用装着体の一部に着色や装飾模様を配し、残された他の一部に添設したものとすることができ、その手段も接着、熔着、縫着、結着その他対象となる装飾体に合わせたあらゆる手段、構造によって添着してもよい。
【００１８】
装飾模様は、衿用装着体の装飾体が添設されていない適所、あるいは装飾体の下地となる箇所等に色彩や模様、絵画、写真画像等を表示し、着用したときに上記装飾体に相俟って立体的装飾を形成して装飾体の外的美観をより一層高めるようにするという機能を果たすものであり、装飾体の種類に応じてそれに相応しいデザインのものとして装飾体の意匠価値を高めるものとすべきであり、装飾体と相俟って統一的なデザインを形成可能なものとするのが望ましく、より具体的には、衿用装着体それ自体か、あるいはその外装部品の地色や着色、プリント、印刷、染色、織り込み、刺繍、塗装、鍍金、蒸着等を含む様々な装飾の中、衿用装着体の使用素材や構造に好適なものを適宜選択して形成することが可能である。
以下では、図面に示すこの発明を代表する実施例と共に、その構造について詳述していくこととする。                                                                                                        
【実施例】
【００１９】
図１の寸法の異なる２本の和服用装飾具を比較する正面図、図２の装飾体の配置模様の一例となる和服用装飾具要部の斜視図、および図３の装飾体の配置模様の他の例となる和服用装飾具要部の正面図に示される事例は、衿幅の約１／２以下に収まる幅寸法とし、着付けたときに共衿から左右の衿に添って少なくとも衿合わせ辺りに至る程度の長さ寸法を有すると共に、和服衿の内側に挟み込み、装着して違和感を生じさせない程度の厚み寸法とした衿用装着体２に対し、該衿用装着体２の一方の端縁略全長に添わせて粒状装飾体３，３，……を添設してなるものとしたこの発明に包含される和服用装飾具における代表的な幾つかの実施例を示すものである。
【００２０】
当該和服用装飾具１は、図１中に示すように、全幅約４０ｍｍ前後、厚み寸法が約２ｍｍ前後であって、全長が約１，２００ｍｍ（図中寸法Ｂ）前後、および約８００ｍｍ（図中寸法Ａ）前後と異なる２本があり、夫々の基本的構造は、長さ寸法を除いて略同一に製造したものとなっている。
衿用装着体２は、その外郭形状に略一致する形状に裁断あるいは成型された比較的軟質な合成樹脂製のメッシュ状衿芯２１の外側に、着物用の裏地素材に好適な絹、木綿等の天然繊維か、ナイロン（商品名）やポリエステル等の化学繊維かの何れかを袋帯状に縫製してなる外装帯２２を被着し、開口を縫合して封入状に一体化したものである。
【００２１】
メッシュ状衿芯２１は、和服衿元への装着性や、着用したときの型崩れ防止等を考慮し、衿用装着体２の幅方向の強度が、長手方向のそれよりも比較的強いものとするのが望ましく、換言すれば長手方向の剛性が、幅方向のそれよりもやや弱くなるよう形成されたものとするのが好ましく、外装帯２２の色調に悪影響を与えない色を採用すべきであって、例えば、外装帯２２が白色系や赤、青、黄色等の場合には白色や各色調に近い色に、黒色系の場合にはグレーや黒色等に設定して外装帯２２の色調に合わせたものなどとするのが望ましい。
【００２２】
外装帯２２は、適度な滑りと摩擦とを両立して良好な装着性が得られると共に、着物の汚損を防止できるものとする必要がある上、着用状態で粒状装飾体３，３，……の発色に悪影響を及ぼさないものか、もしくは粒状装飾体３，３，……の良好な発色を助長する色彩のものを選択すべきであり、良好な光の反射が得られる色調に染色された生地や織物の外、同様の効果が得られるプリント、刺繍を施したもの等とすることができ、さらに、それらの図示しない装飾模様が、粒状装飾体３，３，……の下地模様もしくは隣接模様となって新たな装飾性を発揮したり、和服用装飾具１自体をリバーシブルなものとして、粒状装飾体３，３，……とは別に単独で装飾、利用できるものとすることが可能である。
【００２３】
衿用装着体２は、その幅方向一方端縁の、端縁厚み部分を含む約１０ｍｍ程度の取付け代２３に対し、複数の粒状装飾体３，３，……を縫着したものとなっており、各粒状装飾体３，３，……は、全てが合成樹脂成型品からなり、無色透明または有色透明なダイヤモンドに似せたものであって、先端を切除した２つの多角錐同士を底面で一体化した外郭形状としたものや、あるいはそろばんの駒状に形成した粒状物、および有色の真珠に似せた全て同色か、個々に色合いを変えた球形状の粒状物等であり、何れも中心部分に糸通し用の図示しない貫通孔を穿孔したものを適宜規則性を以って組み合せて配置したものとしている。
【００２４】
図２中に示す和服用装飾具１では、衿用装着体２の取付け代２３に添うように、そろばん駒状の粒状物１個が球状の粒状物２個で挟み込まれ、組み合わせたものを、衿用装着体２裏面側からメッシュ状衿芯２１適所の目を通した縫合糸２４に通した上、衿用装着体２の長手方向の一方に傾斜させた方向の取付け代２３端縁厚み部分に刺し通して縫着し、衿用装着体２の略全長に渡って同一の連続状配置となるよう縫着したものとなっており、まとめて縫着した３個の粒状装飾体３，３，３は、夫々同一の縫合糸２４により、衿用装着体２の長手方向に対して一定の方向に略同一の角度で傾斜するよう縫着、固定したものとなっている。
【００２５】
また、図３中に示す和服用装飾具１は、基本的に図２中に示したものと略同様に、ダイヤモンド型駒状の粒状物１個を、真珠型の球状の粒状物２個で挟み込む組合せとして縫着すると共に、これら３個組の粒状物の隣接するもの同士の隙間に、比較的小径の真珠様球形物を一定の規則性をもって配置、縫着したものとなっており、これら小径の真珠様球形物である装飾体３もまた、夫々前述と同様にメッシュ状衿芯２１適所の目に貫通させ、装飾体３に通した縫合糸２４により、衿用装着体２の長手方向に対して所定の角度をつけて傾斜させるよう縫着したものとなっており、各装飾体３，３，……が、同図３中に破線で示す縫合糸２４によって縫着、固定したものとなっている。
【００２６】
（実施例の作用）
以上のとおりの構成からなるこの発明の和服用装飾具１は、図１中に示した全長が約８００ｍｍ（図中寸法Ａ）前後のものを、図４の比較的短い和服用装飾具の装着例の正面図に示すように、装飾体３，３，……を首回りの外側に向けるようにした衿用装着体２となし、それを和服５の共衿５１から左右の衿５２，５２に添わせ、衿合わせに至る範囲の衿内側と襦袢衿との間に挿し込み、挟着状に装着することにより、和服５の衿縁に添って装飾体３，３，……を配列させることが可能となり、従前までのネックレスとは全く異なる配置であって、しかも和服には一切の加工を施さずに、恰かも和服の衿縁に添って宝飾品を縫い付けてあるかのような立体的装飾を施したものとすることが可能となる。
【００２７】
また、図１中の全長が約１，２００ｍｍ（図中寸法Ｂ）前後の和服用装飾具１は、図５の比較的長い和服用装飾具の装着例の正面図に示すように、前述と同様に和服５の共衿５１から左右の衿５２，５２に添わせ、下前側の衿５１（５２）には衿合せ付近まで、他方上前側の衿５２には帯影となる位置に至る範囲の衿内側に衿用装着体２を挿し込み、挟み込み状に装着することが可能となり、和服５の立体的装飾となつている衿５１，５２の略全縁に添って装飾体３，３，……を配列状に仮留めすることが可能となる。
【００２８】
さらに、同様の和服用装飾具１は、同図５中に示す通り、帯５３の最外周側となる範囲の帯幅を狭めて傾斜状もしくは水平状の段差を形成し、その間に、装飾体３，３，……を外側に向けた和服用装飾具１を挿し込んで挟み込み、帯５３の段差部分に添って装飾体３，３，……を配列状に装飾したものとすることができる。
【００２９】
さらにまた、図６の変形例の和服用装飾具の着用状態の斜視図に示すように、衿用装着体２の幅方向の一方端肉厚縁付近に添う略全長に渡り、大粒の真珠に似せた合成樹脂製で球形の粒状装飾体３，３，……を一個ずつ、個別に縫着してネックレス状の数珠繋ぎに一列配置とするよう添設した和服用装飾具１を、和服５衿内側に装着するようにしたから、真珠のネックレスを和服の衿縁に添って縫着したような外観を得るものとなり、また、和服用装飾具１の外装帯２２に染色や刺繍などを組み合わせて艶やか装飾模様４を施した衿用装着体２全周端の厚み縁付近に添わせ、粒状装飾体３，３，……を殆ど隙間無く配列させるよう縫着してなる和服用装飾具１を、リボンを所定の長さで束ねる要領でまとめ、様々な帯結び５４に対して衿用装着体２の一部がお太鼓や羽根の間等から立体的装飾となるよう配置させ、帯５３自体かまたは図示しない帯締めか、もしくはそれら両方かの何れかの適所に適宜取り付けた図示しない取付紐やバンドあるいは面ファスナー等を用い、帯影等の外観に露出せず隠蔽状となる適所で括り付けたものとし、帯結び５４やその周辺を優美に装飾するものとして用いることが可能である。
【００３０】
（実施例の効果）
以上のような構成からなる実施例の和服用装飾具１は、前記したこの発明の効果の項で記載の特徴に加え、図１中に示したように、全長が約１，２００ｍｍ（図中寸法Ｂ）前後のものと、全長が約８００ｍｍ（図中寸法Ａ）前後のものとを夫々準備することにより、約８００ｍｍ（図中寸法Ａ）前後の和服用装飾具１の場合には、図４中に示したように、着物の共衿から左右衿の衿合わせに至る範囲に渡って装飾することが可能となり、また、約１，２００ｍｍ（図中寸法Ｂ）前後の和服用装飾具１の場合には、図５中に示したように、着物の共衿から下前の衿合わせまでと、上前の帯影となる衿とに添って装飾することができ、夫々が装飾範囲に好適な寸法に設定されているので嵩張りやズレ動き等の着崩れを防止できるものとなり、しかもある程度自由度をもたせた長さ設定となし、図５中に示したように、帯５３に装着して装飾するといった工夫も可能とし、衿飾りに留まらず利用範囲を広げることができる。
【００３１】
さらに、図２および図３中に示したように、３個（複数個）ずつ連ねた粒状装飾体３，３，……を、衿用装着体２の長手方向に対して所定角度で傾斜する方向に向けた縫合糸２４によってまとめて縫着してあることから、衿用装着体２の長手方向に隣接した粒状装飾体３，３，……同士が互いに独立して添着されたものとなり、該衿用装着体２を和服の衿内側に添って湾曲状に装着したときに、略均質な湾曲形状を呈して比較的滑らかな曲線を描くものとなり、和服の衿元に異常な角張りや皺、弛み等を発生させず、スマートに装着することができる。
【００３２】
また、図６中に示すように、衿用装着体２の表裏略全面に装飾模様４を施し、略全周縁に添って粒状装飾体３，３，……を添設した和服用装飾具１は、帯結び５４に適宜取り付けることによって従来には無い全く新しい飾り付けとして使用でき、着物５や帯５３の色柄や帯結び５４の形に加え、斬新なデザイン性を加味したものとすることができるという利点を得られることになる。
【００３３】
（結  び）
叙述の如く、この発明の和服用装飾具は、その新規な構成によって所期の目的を遍く達成可能とするものであり、しかも製造も容易で、従前からの伊達襟や重ね襟等に比較して、その装飾性を格段に高めることができると共に、装飾体や装飾模様等に高価な宝飾品等を用いることによって付加価値を大幅に高めることができるので富裕層を対象とした新商品としての提供が可能となる一方、近年の合成樹脂成型やガラス加工および着色技術等の向上により、比較的廉価な素材を用いた場合であっても高価な素材を使用したものと殆ど遜色の無い外観、品質を確保することも容易であり、流行に敏感な若い世代を対象とした比較的低廉な商品としての提供も実現、可能なことから、伝統的な着こなしに新風を求める市場ニーズに良く合致することとなって消費者に大いに歓迎されるだけではなく、様々な顧客の需要に応えようと努力する和服の製造、販売業界ならびに着付け業界においても高く評価され、広範に渡って利用、普及していくものになると予想される。                                                    
【図面の簡単な説明】
【００３４】
図面は、この発明の和服用装飾具の技術的思想を具現化した代表的な幾つかの実施例を示すものである。
【図１】長さを比較する２本の和服用装飾具を示す正面図である。
【図２】和服用装飾具の要部を示す斜視図である。
【図３】和服用装飾具の要部を示す正面図である。
【図４】和服用装飾具の装着例を示す正面図である。
【図５】和服用装飾具の他の装着例を示す正面図である。
【図６】帯結びの飾りに用いた和服用装飾具を示す斜視図である。
【符号の説明】
【００３５】
１      和服用装飾具
２      衿用装着体
２１    同  メッシュ状衿芯
２２    同  外装帯
２３    同  取付け代
２４    同  縫合糸
３      装飾体
４      装飾模様
５      和服
５１    同  共衿
５２    同  衿
５３    同  帯
５４    同  帯結び
Ａ      比較的短尺な和服用装飾具の長さ寸法
Ｂ      比較的長尺な和服用装飾具の長さ寸法
【図１】
2006132061.tif 000003
【図２】
2006132061.tif 000004
【図３】
2006132061.tif 000005
【図４】
2006132061.tif 000006
【図５】
2006132061.tif 000007
【図６】
2006132061.tif 000008